(57)【特許請求の範囲】
【請求項１】
庇板と、
一端が壁面側に固定され他端が取付部材を介して前記庇板の上面側に取り付けられる吊り材と、
を有し、
前記取付部材は、前記庇板の面内方向および前記壁面に沿うレール部を備え前記庇板上に、当該庇板を貫通する第１固定具により固定される庇板保持部材と、
前記吊り材の他端に設けられ、前記レール部に案内されて前記庇板保持部材に対してスライド可能に係合し、第２固定具により前記庇板保持部材に固定されるスライド部材と、
を有し、
前記庇板保持部材は、前記庇板の上面と対向して前記第１固定具が貫通する庇板対向部と、
前記庇板対向部に、見込み方向において互いに間隔を隔てて対向させて設けられ、前記スライド部材が案内される前記レール部を形成する一対のレール形成部と、
を有し、
前記庇板対向部と前記一対のレール形成部とにより形成され前記庇板対向部を貫通した前記第１固定具が位置する固定具配置空間と、前記レール部とは区画されており、
前記スライド部材を貫通した前記第２固定具の先端は前記レール部内に位置していることを特徴とする庇。
【請求項２】
請求項１に記載の庇であって、
前記一対のレール形成部は、当該一対のレール形成部の間に位置する前記固定具配置空間側に前記固定具配置空間及び前記レール部のいずれとも区画され前記レール部に沿って設けられた排水溝を有し、
前記取付部材は、前記排水溝と前記固定具配置空間とを上方から覆う覆い部材を有し、
前記スライド部材は、前記覆い部材を上方から覆っていることを特徴とする庇。
【請求項３】
請求項１または請求項２に記載の庇であって、
前記第１固定具は、第１ボルトであり、
前記第２固定具は、前記スライド部材を前記庇板の面内方向に沿って貫通する第２ボルトであることを特徴とする庇。
【請求項４】
請求項３に記載の庇であって、
前記第２ボルトは、前記第１ボルトの頂部より下に位置していることを特徴とする庇。
【発明の詳細な説明】
【技術分野】
【０００１】
本発明は、壁面に庇板が上吊りされて設けられる庇に関する。
【背景技術】
【０００２】
壁面に庇板が上吊りされて設けられる庇としては、例えば、天板と称する庇板に設けられた固定金具と、壁面に設けられた固定金具と、に吊り材を張架して壁面に屋根となる庇板が取り付けられる庇が知られている（例えば、特許文献１参照）。このような庇は、庇板を上吊りする吊り材の一端が建物の躯体に固定される。このとき、建物の躯体の間隔は必ずしも一定ではないため、吊り材の他端が固定される、庇板側の固定金具は、各々の建物が備える躯体の位置に合わせて設けなければならない。このため、庇板に設けられる固定金具をレール型とし、庇板に対する吊り材の固定位置を移動可能としている。
【先行技術文献】
【特許文献】
【０００３】
【特許文献１】実用新案登録第３１０３６５２号公報
【発明の概要】
【発明が解決しようとする課題】
【０００４】
上記のような庇は、庇板と棒状の吊り材との接合位置が、庇板から離れると、上吊りする吊り材に庇板の重量が支持されることにより生じるモーメントが大きくなり耐荷重性能が低下する。このため、庇板と棒状の吊り材との接合位置は、できるだけ庇板に近い方が望ましい。一方、庇板側の固定金具は、吊り材の固定位置を移動できるようにレール型としているので、少なくともレールとレールに対してスライドする部材とが必要であり、庇板と吊り材とを直接接合する場合より部材数が増えるとともに、それらを固定するためのボルトなどの固定具の数も増える。このため、庇板と吊り材との接合位置が庇板からより離れた位置となり、耐荷重性能が低くなるという課題がある。
【０００５】
本発明は、かかる課題に鑑みてなされたものであり、その目的とするところは、吊り材の固定位置を調整可能としつつもより高い耐荷重性能を備えている庇を提供することにある。
【課題を解決するための手段】
【０００６】
かかる目的を達成するために本発明の庇は、庇板と、一端が壁面側に固定され他端が取付部材を介して前記庇板の上面側に取り付けられる吊り材と、を有し、前記取付部材は、前記庇板の面内方向および前記壁面に沿うレール部を備え前記庇板上に、当該庇板を貫通する第１固定具により固定される庇板保持部材と、前記吊り材の他端に設けられ、前記レール部に案内されて前記庇板保持部材に対してスライド可能に係合し、第２固定具により前記庇板保持部材に固定されるスライド部材と、を有し、前記庇板保持部材は、前記庇板の上面と対向して前記第１固定具が貫通する庇板対向部と、前記庇板対向部に、見込み方向において互いに間隔を隔てて対向させて設けられ、前記スライド部材が案内される前記レール部を形成する一対のレール形成部と、を有し、前記庇板対向部と前記一対のレール形成部とにより形成され前記庇板対向部を貫通した前記第１固定具が位置する固定具配置空間と、前記レール部とは区画されており、前記スライド部材を貫通した前記第２固定具の先端は前記レール部内に位置していることを特徴とする庇である。
【０００７】
このような庇によれば、レール部を備えた庇板保持部材が庇板に固定され、レール部に案内されて庇板保持部材とスライド自在に係合するスライド部材が吊り材に固定されているので、庇板に対する吊り材の、壁面に沿う方向における固定位置を調整することが可能である。また、庇板に庇板保持部材を固定する第１固定具と、庇板保持部材と係合するスライド部材を吊り材に固定する第２固定具とが、上下方向において互いに重ならない位置に設けられているので、第１固定具と第２固定具とを庇板の面内方向に並べて配置することが可能である。このため、第１固定具と第２固定具とが上下方向に並べて配置される場合より吊り材の取付部材との取り付け位置を、庇板に、より近づけることが可能である。よって、吊り材の固定位置を調整可能としつつもより高い耐荷重性能を備えた庇を提供することが可能である。
【０００８】
また、第１固定具が配置される固定具配置空間とスライド部材を貫通した第２固定具の先端が位置するレール部とは区画されているので、たとえ、第２固定具を伝って雨水等がレール部内に浸入したとしても、固定具配置空間には浸入しない。このため、第２固定具を伝って進入した雨水等が庇板の下面に移動して漏れることを防止することが可能である。
【０００９】
かかる庇であって、前記一対のレール形成部は、当該一対のレール形成部の間に位置する前記固定具配置空間側に前記固定具配置空間及び前記レール部のいずれとも区画され前記レール部に沿って設けられた排水溝を有し、前記取付部材は、前記排水溝と前記固定具配置空間とを上方から覆う覆い部材を有し、前記スライド部材は、前記覆い部材を上方から覆っていることが望ましい。
【００１０】
このような庇によれば、一対のレール形成部には、レール部より固定具配置空間側に、固定具配置空間及びレール部のいずれとも区画され排水溝が設けられているので、例え一対のレール形成部とスライド部材及び覆い部材との間から雨水等が浸入したとしても、排水溝に移動させ、固定具配置空間に移動することを防止することが可能である。このため、雨水等が庇板の下面に移動して漏れることを防止することが可能である。
【００１１】
かかる庇であって、前記第１固定具は、第１ボルトであり、前記第２固定具は、前記スライド部材を前記庇板の面内方向に沿って貫通する第２ボルトであることが望ましい。
このような庇によれば、庇板に庇板保持部材を固定する第１ボルトは庇板を貫通するように上下方向に沿い、庇板保持部材とスライド部材とを固定する第２固定具は庇板の面内方向に沿っているので、第１ボルトと第２ボルトとを庇板の面内方向に並べて容易に配置することが可能である。
【００１２】
かかる庇であって、前記第２ボルトは、前記第１ボルトの頂部より下に位置していることが望ましい。
このような庇によれば、第１ボルトと第２ボルトとが庇板の面内方向に並べて配置することが可能なので、吊り材の取付部材との取り付け位置を、庇板に、より近づけることが可能である。
【発明の効果】
【００１３】
本発明によれば、吊り材の固定位置を調整可能としつつもより高い耐荷重性能を備えている庇を提供することが可能である。
【図面の簡単な説明】
【００１４】
【図１】本実施形態に係る庇を示す斜視図である。
【図２】本実施形態に係る庇を示す縦断面図である。
【図３】図２におけるＡ部の拡大図である。
【図４】取付部材を示す斜視図である。
【図５】取付部材構成を示す分解図である。
【発明を実施するための形態】
【００１５】
以下、本発明の一実施形態に係る庇について図面を参照して説明する。
本実施形態の庇１０は、図１、図２に示すように、庇板２が設けられる建物１に沿う端部が壁面としての外壁１ａ側に固定されるとともに、庇板２の上面が外壁１ａ側から吊り材３により支持される上吊り型の庇１０であって、建物１に後付け可能に構成されている。
【００１６】
以下の説明においては、建物１に取り付けられた状態の庇１０を外壁１ａに向かって見たときに、上下となる方向を上下方向、左右となる方向を左右方向、外壁１ａと直交する奥行き方向を見込み方向として示す。庇１０の各部位であっても、また、庇１０を構成する各部材については単体の状態であっても、建物１に取り付けられた状態にて上下方向、左右方向、奥行き方向となる方向にて方向を特定して説明する。
【００１７】
庇１０は、矩形状の庇板２と、庇板２の、建物１に沿う端部を外壁１ａ側に固定する壁側端固定部材４と、庇板２と建物１の躯体１ｂとを連結して庇板２を上方から吊る吊り材３と、吊り材３の下端を庇板２に取り付けるための取付部材５と、を有している。
【００１８】
庇板２は、例えばポリカーボネートなどの合成樹脂製の板やアルミ樹脂複合板などの矩形状をなす平板材であり、矩形状の四辺のうち外壁１ａ側の端部を除き、端部を保護する保護部材２１が全長に渡って設けられている。また、庇板２の上面側には、見込み方向において庇板２の中央より外壁１ａと反対側（以下、反壁側という）に取付部材５が複数設けられている。複数の取付部材５は、左右方向に互いに間隔を隔てて、外壁１ａに沿うように一列に配置されている。また、庇板２の下面側には、平板にボルトのねじ部が立設され、取付部材５を庇板２に固定している第１固定具及び第１ボルトとしてのボルト材２ａ等を下方から覆う下カバー２２が、庇板２の左右方向における全長にわたるように設けられている。
【００１９】
壁側固定部材４は、外壁１ａに当接される壁側当接部材４１と、壁側当接部材４１とともに庇板２の壁側の端を挟持する壁側挟持部材４２と、壁側挟持部材４２を上方から覆うカバー部材４３と、を有している。壁側当接部材４１、壁側挟持部材４２、カバー部材４３は、いずれも押し出し成形部材であり、庇板２の左右方向における全長にわたるように設けられている。
【００２０】
壁側当接部材４１は、外壁１ａに当接される壁当接部４１ａと、壁当接部４１ａの下端が外壁１ａから離れる方向に延出され庇板２の端部が載置される載置部４１ｂと、を有している。壁当接部４１ａの上端部には、カバー部材４３の上係止片４３ａが係止される上被係止部４１ｃが設けられている。
【００２１】
壁側挟持部材４２は、壁当接部４１ａを外壁１ａとともに挟んで躯体１ｂに固定される下躯体固定部４２ａと、下躯体固定部４２ａの下端が外壁１ａから離れる方向に延出されて庇板２の上面に載置される挟持部材延出部４２ｂと、を有している。挟持部材延出部４２ｂの延出された先端部には、カバー部材４３の下係止片４３ｂが係止される下被係止部４２ｃが設けられている。
【００２２】
躯体１ｂに固定された壁側当接部材４１の載置部４１ｂ及び壁側挟持部材４２の挟持部材延出部４２ｂの間に庇板２の外壁１ａ側の端が挟持され、載置部４１ｂに係合されたプレートナット２ｃに庇板２及び挟持部材延出部４２ｂを貫通したボルト２ｂが螺合されて固定されている。庇板２が固定された後に、上係止片４３ａが上被係止部４１ｃに係止され、下係止片４３ｂが下被係止部４２ｃに係止されてカバー部材４３が取り付けられている。
【００２３】
吊り材３は、円筒状の本体部３１と、本体部３１の両端部から本体部３１に沿う方向に延出された延出ねじ部３２と、を有し、両端の延出ねじ部３２には壁側固定部材４よりも上方にて外壁１ａに設けられた後述する外壁固定部材６及び取付部材５に回動自在に固定される端部材７がそれぞれ設けられている。
【００２４】
端部材７は、図３に示すように、延出ねじ部３２が貫通される貫通板部７１と、貫通板部７１の左右方向の端から本体部３１と反対方向に向かって延出され互いに対向する一対の端部材対向壁部７２と、を有している。端部材７は、貫通板部７１に貫通された延出ねじ部３２の、貫通板部７１の両側にそれぞれ螺合されたナット７３が両側から締め込まれて延出ねじ部３２に固定されている。このため、延出ねじ部３２に対するナット７３の螺合位置を変更することにより、吊り材３により固定される外壁１ａと庇板２との間隔を変更することが可能であり、複数種類のサイズの庇板２や躯体の１ｂ位置が互いに異なる建物１に用いることが可能である。
【００２５】
外壁固定部材６は、図２に示すように、外壁１ａに当接されて躯体１ｂに固定される上躯体固定部６１と、上躯体固定部６１の左右方向の端から外壁１ａと反対方向に向かって延出され互いに対向する一対の外壁側対向壁部６２と、を有している。対向する一対の外壁側対向壁部６２の間には、吊り材３が有し上側に位置する端部材７が配置される。一対の外壁側対向壁部６２の間に配置された端部材７の対向する一対の端部材対向壁部７２は各々、外壁側対向壁部６２と対面するように配置され、対面する端部材対向壁部７２と外壁側対向壁部６２とを左右方向に貫通するボルトにナットが螺合されて上側の端部材７が躯体１ｂに固定されている外壁固定部材６に固定される。
【００２６】
吊り材３の下端側に設けられた下側の端部材７が固定される取付部材５は、図４、図５に示すように、庇板２の上面にボルト材２ａとナット２ｄとにより固定される庇板保持部材５１と、庇板保持部材５１の上部を覆う覆い部材５２と、庇板保持部材５１上に配置され吊り材３の下側の端部材７が固定されるスライド部材５３と、を有している。取付部材５は、建物１の躯体１ｂをなす例えば間柱に上端側が固定される吊り材３毎に設けられているので、左右方向における間柱の間隔と同じ間隔で庇板２に設けられている。
【００２７】
庇板保持部材５１は、押し出し成形部材でなり、庇板２の上面に対向して当接される庇板対向部５１ａと、庇板対向部５１ａの見込み方向の両端部に各々立設されて外壁１ａに沿う溝状のレール部５１ｂが形成されるレール形成部５１ｃと、各レール形成部５１ｃの、互いに他のレール形成部５１ｃ側に張り出して左右方向に沿って上方に開放された排水溝５１ｄを形成する溝形成部５１ｅと、を有している。
【００２８】
庇板対向部５１ａは、見込み方向における中央に左右方向に沿って上方に窪む凹部５１ｆを有しており、この凹部５１ｆには、庇板保持部材５１がボルト材２ａにより固定される際に庇板対向部５１ａとともにボルト材２ａに貫通される止水材８が配置され、ナット２ｄが締め込まれることにより止水材８が圧縮されるように構成されている。
【００２９】
レール形成部５１ｃは、見込み方向における建物側に、建物側に向かって開放されたレール溝部５１ｇが形成され、見込み方向における反建物側に、反建物側に向かって開放されたレール溝部５１ｇが、各々外壁１ａに沿って形成され、レール溝部５１ｇの開放端側の幅が奥側より狭くなるように上下に互いに対向する方向に各々突起５１ｈが設けられてレール部５１ｂが形成されている。
【００３０】
溝形成部５１ｅは、２つのレール形成部５１ｃに設けられたレール溝部５１ｇの開放側と反対の底部側から互いに対向する方向に延出された対向延出部５１ｉと、対向延出部５１ｉの先端から上方に立ち上がる先端壁部５１ｊとにより形成されている。対向延出部５１ｉと庇板対向部５１ａとは上下方向に間隔が隔てられている。対向延出部５１ｉと庇板対向部５１ａとの間の空間には、庇板対向部５１ａとともにボルト材２ａが貫通されるプレート５１ｋが挿入され、ボルト材２ａにナット２ｄが螺合されて庇板保持部材５１が庇板２に固定されている。
【００３１】
覆い部材５２は、２つのレール形成部５１ｃ上に掛け渡されて庇板保持部材５１上を覆い上面が平坦なカバー板部５２ａを有しており、下面側に突出された係止突起５２ｂが排水溝５１ｄ内に挿入されて係止されている。覆い部材５２の下面には、２つの先端壁部５１ｊの、見込み方向における中央側に係合する係合片５２ｃが垂設されている。ここで、庇板対向部５１ａの上面、２つのレール形成部５１ｃ、２つの溝形成部５１ｅ及び覆い部材５２により囲まれた空間が、ボルト配置空間Ｓ（図３）に相当し、排水溝５１ｄはボルト配置空間Ｓと区画されている。
【００３２】
覆い部材５２に覆われた庇板保持部材５１の左右方向における端部には、小口を塞ぐキャップ５４が、軟質合成樹脂でなるシート状のシーラー５５を介してビス止めされている。キャップ５４及びシーラー５５には、排水溝５１ｄと外部とを連通する連通孔５４ａが設けられているが、シーラー５５の連通孔は図示していない。
【００３３】
スライド部材５３は、覆い部材５２の上面に当接される覆い当接部５３ａと、覆い当接部５３ａの左右方向の端から上方に向かって延出され互いに対向する一対の上方延出部５３ｂと、覆い当接部５３ａの見込み方向における両端部からそれぞれ垂設された垂設板部５３ｃと、を有している。
【００３４】
対向する一対の上方延出部５３ｂの間には、吊り材３が有し下側に位置する端部材７が配置される。一対の上方延出部５３ｂの間に配置された端部材７の対向する一対の端部材対向壁部７２は各々、上方延出部５３ｂと対面するように配置され、対面する端部材対向壁部７２と上方延出部５３ｂとを左右方向に貫通するボルトにナットが螺合されて下側の端部材７がスライド部材５３に固定されている。
【００３５】
スライド部材５３が、覆い部材５２が係止された庇板保持部材５１上に載置された状態で、２つの垂設板部５３ｃが庇板保持部材５１の２つのレール形成部５１ｃと各々対向する。各垂設板部５３ｃには、見込み方向に進入する、第２固定具としての２本の第２ボルト５３ｄによりレール部５１ｂ内に設けられた板材でなるスライド可能な裏板材５３ｅが取り付けられている。このとき、第２ボルト５３ｄは、ボルト材２ａの頂部２ｅより下に位置している。
【００３６】
裏板材５３ｅは、上下方向の幅がレール形成部５１ｃの対向する突起５１ｈ間の間隔より広く、レール溝部５１ｇの上下方向の幅より僅かに狭く形成されている。２本の第２ボルト５３ｄを緩めた状態では、裏板材５３ｅはスライド部材５３とともにレール部５１ｂに沿って移動可能であり、２本の第２ボルト５３ｄを締め込むことにより、垂設板部５３ｃと裏板材５３ｅとにより対向する突起５１ｈが挟持されて、スライド部材５３が庇板保持部材５１に固定されるように構成されている。このため、庇板２に対する吊り材３の下端側の左右方向の固定位置は、左右方向に調節可能に構成されている。
【００３７】
本実施形態の庇１０によれば、レール部５１ｂを備えた庇板保持部材５１が庇板２に固定され、レール部５１ｂに案内されて庇板保持部材５１とスライド自在に係合するスライド部材５１が吊り材３に固定されているので、庇板２に対する吊り材３の、外壁１ｂに沿う方向における固定位置を調整することが可能である。また、庇板２に庇板保持部材５１を固定するボルト材２ａと、庇板保持部材５１と係合するスライド部材５３を吊り材３に固定する第２ボルト５３ｄとが、上下方向において互いに重ならない位置に設けられているので、ボルト材２ａと第２ボルト５３ｄとを庇板２の面内方向に並べて配置することが可能である。このため、ボルト材２ａと第２ボルト５３ｄとが上下方向に並べて配置される場合より吊り材３の取付部材５との取り付け位置を、庇板２に、より近づけることが可能である。よって、吊り材３の固定位置を調整可能としつつもより高い耐荷重性能を備えた庇１０を提供することが可能である。
【００３８】
また、庇板２に庇板保持部材５１を固定するボルト材２ａは庇板２を貫通するように上下方向に沿い、庇板保持部材５１とスライド部材５３とを固定する第２ボルト５３ｄは庇板２の面内方向に沿っているので、ボルト材２ａと第２ボルト５３ｄとを庇板２の面内方向に並べて容易に配置することが可能である。
【００３９】
また、ボルト材２ａと第２ボルト５３ｄとが庇板２の面内方向に並ぶので、吊り材３の取付部材５との取り付け位置を、庇板２に、より近づけることが可能である。このため、吊り材３に庇板２の重量が支持されることにより生じるモーメントを小さくすることが可能であり、高い耐荷重性能を備えた庇１０を提供することが可能である。
【００４０】
また、ボルト材２ａが配置されるボルト配置空間Ｓとスライド部材５３を貫通した第２ボルト５３ｄの先端が位置するレール部５１ｂとは区画されているので、たとえ、第２ボルト５３ｄを伝って雨水等がレール部５１ｂ内に浸入したとしても、ボルト配置空間Ｓには浸入しない。このため、第２ボルト５３ｄを伝って進入した雨水等が庇板２の下面に移動して漏れることを防止することが可能である。
【００４１】
また、一対のレール形成部５１ｃには、レール部５１ｂよりボルト配置空間Ｓ側に、ボルト配置空間Ｓ及びレール部５１ｂのいずれとも区画され排水溝５１ｄが設けられているので、例え一対のレール形成部５１ｃとスライド部材５３及び覆い部材５２との間から雨水等が浸入したとしても、排水溝５１ｄに移動させ、ボルト配置空間Ｓに移動させることを防止することが可能である。このため、雨水等が庇板２の下面に移動して漏れることを防止することが可能である。
【００４２】
本実施形態においては、第１固定具は、平板にボルトのねじ部が立設されたボルト材２ａとしたが、第２固定具をなす第２ボルト５３ｄと同様のボルトであっても構わない。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１ａ  外壁、２  庇板、２ａ  ボルト材、２ｅ  頂部、３  吊り材、５  取付部材、
１０  庇、５１  庇板保持部材、５１ａ  庇板対向部、５１ｂ  レール部、
５１ｃ  レール形成部、５１ｄ  排水溝、５２  覆い部材、５３  スライド部材、
５３ｄ  第２ボルト、
Ｓ  配置空間、
【図１】
0006616202.tif 000002
【図２】
0006616202.tif 000003
【図３】
0006616202.tif 000004
【図４】
0006616202.tif 000005
【図５】
0006616202.tif 000006